(57)【要約】【課題】開箱体の内側へ塵を脱落することなく開口状態のフラツプの縁部に付着している塵を除去すること。【解決手段】四角形筒状の胴部Ｂの一方側から延設したフラップを折り曲げずに一方側を開口したフラップ付き開箱体Ａを掃除する掃除設備であって、開箱体Ａの開口した一方側を下方へ向けた状態で開箱体Ａを保持しつつ搬送する搬送装置２と、搬送中の開箱体Ａの下側のフラップＣａ，Ｃａ及びＤａ，Ｄｂの下端縁部に当接するブラシを有する掃除装置３とを備えたこと。【効果】開箱体Ａの下側のフラップの下端縁部にブラシを当接させて下端縁部から塵を払い落とすように除去でき、除去した塵が開箱体Ａの内側へ脱落することもない。【選択図】  図７
2005007227.tif 000002
【特許請求の範囲】
【請求項１】
四角形筒状の胴部の一方側から延設したフラップを折り曲げずに一方側を開口したフラップ付き開箱体を掃除する掃除設備であって、開箱体の開口した一方側を下方へ向けた状態で開箱体を保持しつつ搬送する搬送装置と、搬送中の開箱体の下側のフラップの下端縁部に当接するブラシを有する掃除装置とを備えたことを特徴とするフラップ付き開箱体用掃除設備。
【請求項２】
前記掃除装置は、前記開箱体の下側の開口した箇所を介して開箱体の内側へ塵排出用空気を噴出する空気噴出装置を備えた請求項１記載のフラップ付き開箱体用掃除設備。
【請求項３】
前記搬送装置及び前記掃除装置を室内に配置するシール室と、該シール室の室内から排気する排気装置とを備え、該シール室に、前記搬送装置の搬送路へ通じるように入口開閉扉及び出口開閉扉を取り付けた請求項１又は２記載のフラップ付き開箱体用掃除設備。
【発明の詳細な説明】
【０００１】
【産業上の利用分野】
本発明は、四角形筒状の胴部の一方側から延設したフラップを折り曲げずに一方側を開口したフラップ付き開箱体を掃除する掃除設備に関するものである。該箱材は、段ボール材または板紙等から成形される。
【０００２】
【従来の技術】
従来の製箱装置を用いたフラップ付き開箱体の製造方法は、図１０に示す如く、偏平に折り畳まれた複数枚の箱材を寄せ集めた箱材群（図示略）から１枚の箱材を取り出し、この箱材を開いて四角形筒状の胴部Ｂの上下両側を開口した開箱体Ａを形成し、続けて胴部Ｂの下方側の内フラツプＣａ，Ｃａを折曲げた後に外フラツプＣｂ，Ｃｂを折り曲げ、最後に開箱体Ａを左右の側面案内コンベア装置Ｇで搬送しつつ外フラツプＣｂ，Ｃｂの突き合わせ部どうしを、テープ貼り装置Ｆから繰り出されるテープＴで接合し、胴部Ｂの上方側の内フラツプＤａ，Ｄａ及び外フラツプＤｂ，Ｄｂが起立した開口状態の開箱体Ａを得ている（例えば、特許文献１，特許文献２参照。）。
【０００３】
【特許文献１】
実公平７−４６５１３号公報
【特許文献２】
特開平８−３３６９１６号公報
【０００４】
【発明が解決しようとする課題】
開口状態の上方側の内フラツプＤａ，Ｄａ及び外フラツプＤｂ，Ｄｂの各上端縁部Ｄａ−１，Ｄｂ−１には、段ボール材等の板材を打ち抜いて箱材用素材を形成するときに生じた切断バリ等の塵が付着していることがある。この塵は、開口状態の開箱体Ａへ挿入する被包装物がフラツプに接触する等して、フラツプ上端縁部から離脱して箱内へ侵入することがあるため、予め除去する必要がある。殊に、食料品や医薬品等の分野においては、包装前に塵を除去しておくことが要請されている。
【０００５】
しかし、従来の製箱装置は、上方へ向かって開口している各上端縁部Ｄａ−１，Ｄｂ−１から塵を除去するとき、塵が開箱体Ａの内側へ脱落する危険性があると共に、開箱体Ａの内側へ塵が一旦脱落するとその塵を完全に除去するのが難しいため、掃除装置を備えることが実質的に不可能であった。
【０００６】
本発明は、上記問題点を解決するために、開口状態のフラツプの縁部に付着している塵を除去するとき、塵が箱内へ脱落する危険性のないフラップ付き開箱体用掃除設備の提供を目的とする。
【０００７】
【課題を解決するための手段】
開箱体の内側へ塵を脱落することなく開口状態のフラツプの縁部に付着している塵を除去するために請求項１記載の本発明が採用した手段は、四角形筒状の胴部の一方側から延設したフラップを折り曲げずに一方側を開口したフラップ付き開箱体を掃除する掃除設備であって、開箱体の開口した一方側を下方へ向けた状態で開箱体を保持しつつ搬送する搬送装置と、搬送中の開箱体の下側のフラップの下端縁部に当接するブラシを有する掃除装置とを備えたことを特徴とするフラップ付き開箱体用掃除設備である。
本発明にあっては、開箱体の下側のフラップの下端縁部にブラシを当接させて下端縁部から塵を払い落とすように除去でき、除去した塵が開箱体の内側へ脱落することもない。
【０００８】
開箱体の内側に存在する塵を除去できるようにするために請求項２記載の本発明が採用した手段は、前記掃除装置は、前記開箱体の下側の開口した箇所を介して開箱体の内側へ塵排出用空気を噴出する空気噴出装置を備えた請求項１記載のフラップ付き開箱体用掃除設備である。前記ブラシは、回転式を選択することで、フラップの下端縁部に付着している塵を掻き落とすようにすることもある。この場合、回転ブラシは、その回転中心が、掃除するフラツプを平面内に有する仮想平面を直交することで、その回転方向を掃除するフラップの長手方向に沿わせ、フラップに接触しても掃除するフラップを折れ曲がらないようにする。
本発明にあっては、空気噴出装置から開箱体の内側へ塵排出用空気を噴出することで、開箱体の内側に付着している塵を剥離し、剥離した塵を開箱体の内側から外側へ移動する塵排出用空気に連れられて排出できる。
【０００９】
除去した塵を拡散させないようにするために請求項３記載の本発明が採用した手段は、前記搬送装置及び前記掃除装置を室内に配置するシール室と、該シール室の室内から排気する排気装置とを備え、該シール室に、前記搬送装置の搬送路へ通じるように入口開閉扉及び出口開閉扉を取り付けた請求項１又は２記載のフラップ付き開箱体用掃除設備である。
本発明にあっては、シール室内の空気を排気装置でシール室外へ排気することで室内気圧を室外気圧より低くできるため、室内で発生した塵を室外へ拡散させることがない。
【００１０】
【発明の実施の形態】
以下、本発明に係るフラップ付き開箱体用掃除設備（以下、「本発明掃除設備」という）を図面に示す実施の形態に基づいて説明する。
【００１１】
（第１の実施の形態）
図１乃至図７は本発明掃除設備の第１の実施の形態を示すものであり、図１は掃除しない状態を示す右側面図、図２は同状態の平面図、図３は同状態の背面図、図４は掃除作業の各工程を示す右側面図、図５は反転装置を内蔵した右側面図である。図６は外フラツプ掃除具及び内フラツプ掃除具の別態様を示すものであって、（Ａ）は平面図、（Ｂ）は横断面図である。図７は掃除する工程の概略を示すものであって、（Ａ）は開箱体Ａを掃除する前の状態を示す斜視図、（Ｂ）は開箱体Ａを搬送しつつ下側の外フラップＣｂ，Ｃｂの下端縁部を掃除している状態を示す斜視図、（Ｃ）は開箱体Ａを搬送しつつ下側の内フラップＣａ，Ｃａの下端縁部を掃除している状態を示す斜視図である。
【００１２】
本実施の形態の本発明掃除装置１は、図１乃至図３に示す如く、開口した一方側を下方へ向けた状態で開箱体Ａを保持しつつ搬送する搬送装置２と、搬送中の開箱体Ａの下側の各フラップの下端縁部に当接するブラシを有する掃除装置３とを備えている。本発明掃除設備１は、搬送装置２の前後側に接続する搬出装置５と搬入装置４を備えている。
【００１３】
前記搬入装置４は、ロールコンベア、ベルトコンベア等からなり、開箱体Ａを強制搬送して搬送装置２の入口へ導くようにしてある。前記搬出装置５は、ロールコンベア、ベルトコンベア等からなり、搬送装置２から排出された開箱体Ａを強制搬送するようにしてある。前記搬入装置４及び搬出装置５の各々は、図５に示す如く、開箱体Ａを上下反転させる反転装置３０を備えることもある。反転装置３０は、開箱体Ａの外側面を吸盤３０ａで吸引保持しつつ、持ち上げ状態で１８０度回転させて上下反転させるもの等が採用される。
【００１４】
前記搬送装置２は、図７に示す如く、開箱体Ａ用の搬送路Ｓの左右両外側に対峙するように配置された左右の側面案内コンベア装置６，７で構成されている。側面案内コンベア装置６，７は、搬送路Ｓの側面に接する起立したエンドレス帯ベルトからなるコンベア案内面６ａ，７ａを備え、コンベア案内面６ａ，７ａを強制駆動することで、上側のフラップを折り曲げて閉口すると共に下側を開口した開箱体Ａの胴部Ｂの左右側面上端寄りを把持して、前方へ搬送するようにしてある。
【００１５】
前記搬送装置２は、図２に示す如く、一方の側面案内コンベア装置（図示の場合は右側の側面案内コンベア装置７）を所定位置に配置すると共に、他方の側面案内コンベア装置（図示の場合は左側の側面案内コンベア装置６）を左右方向へ移動して搬送路Ｓの左右幅寸法を変更できるようにすることで、大きさの異なる開箱体Ａに対処できるようにしてある。
【００１６】
前記掃除装置３は、図７に示す如く、搬送装置２で把持して搬送する開箱体Ａの下側の外フラツプＣｂ，Ｃｂの下端縁部を掃除する左右の外フラツプ掃除具８，９と、開箱体Ａの下側の内フラップＣａ，Ｃａの下端縁部を掃除する前後の内フラツプ掃除具１１，１２とを備えている。また、掃除装置３は、開箱体Ａの内側へ塵排出用空気を噴出する空気噴出装置１３を備えている。掃除装置３は、昇降自在な基盤１５（図１〜３参照）に取り付ける等して高さ位置を変更できるように上下移動可能となっており、大きさの異なる開箱体Ａに対処できるようにしてある。
【００１７】
前記外フラツプ掃除具８，９の各々は、回転ブラシ式又は固定ブラシ式（図示略）から形成され、外フラツプＣｂの下端縁部に付着している塵をブラシ先端で払い落とすようにしてある。回転ブラシ式の場合には、外フラツプ掃除具８，９の各々は、左右方向に延びる回転軸を強制駆動し、回転軸から半径方向へ延びるブラシを回転させるようにする。前記搬送装置２（図２参照）の左右方向へ移動自在な側面案内コンベア装置（図示の場合は左側の側面案内コンベア装置６）側に配置した外フラツプ掃除具８は、左右方向に長く形成され、側面案内コンベア装置の移動に対処できるようにしてある。なお、外フラツプ掃除具８，９は、一本で形成することも可能である。外フラツプ掃除具８，９は、外フラツプＣｂの下端縁部から塵をブラシ先端で除去すため、除去した塵が箱内へ脱落することもなく、箱内を汚染することもない。
【００１８】
前記内フラツプ掃除具１１，１２の各々は、図１及び図２に示す如く、案内レール１６，１６に案内されて左右方向へ移動自在に配置され、エアーシリンダ等の操作具（図示略）で左右方向へ往復移動するようにしてある。内フラツプ掃除具１１，１２の各々は、回転ブラシ式又は固定ブラシ式（図示略）から形成され、内フラツプＣａの下端縁部に付着している塵をブラシ先端で払い落とすようにしてある。回転ブラシ式の場合には、内フラツプ掃除具１１，１２の各々は、前後方向に延びる回転軸を強制駆動し、回転軸から半径方向へ延びるブラシを回転させるようにする。内フラツプ掃除具１１，１２の各々は、内フラツプＣａの下端縁部から塵をブラシ先端で除去すため、除去した塵が箱内へ脱落することもなく、箱内を汚染することもない。内フラツプ掃除具１１，１２で掃除するたきには、内フラツプ掃除具１１，１２の往復移動させる時間を考慮して、開箱体Ａを一旦停止して行うのが良い。なお、内フラツプ掃除具１１，１２は、その一方又は両方が、ブラシを前後方向に長く形成することで、前後方向の異なる開箱体Ａに対処できるようになっている。
【００１９】
なお、外フラツプ掃除具８，９及び／又は内フラツプ掃除具１１，１２の各々は、図６に示す如く、フラツプの下端縁部へ向けて圧縮空気を噴出するノズル１８と、モータ２２で駆動する回転ブラシ１９と、ノズル１８及び回転ブラシ１９を収納して上端を開口した回収箱２０と、回収箱２０の内側に連通する吸引ホース２１とを備え、フラツプＣａ（Ｃｂ，Ｄａ，Ｄｂ）の下端縁部の近辺に付着している塵を、ノズル１８の噴出孔１８ａから噴出した圧縮空気と回転ブラシ１９の相乗効果で剥離し、剥離した塵を回収箱２０で回収し、回収空気と共に吸引ホース２１へ吸引して外部へ排出させるように構成することもある。なお、回転ブラシ１９は、その回転中心が、掃除するフラツプを平面内に有する仮想平面を直交することで、その回転方向をフラップＣａ（Ｃｂ，Ｄａ，Ｄｂ）の長手方向に沿わせ、フラップに接触してもフラップを折れ曲がらないようにする。
【００２０】
前記空気噴出装置１３は、図１及び図２に示す如く、案内レール１７，１７に案内されて左右方向へ移動自在にして噴出位置を調整できるようして、大きさの異なる開箱体Ａに対処できるようにしてある。空気噴出装置１３は、コンプレッサー等の空気発生装置（図示略）から供給された塵排出用空気を噴出孔から、開箱体Ａの下側の開口した箇所を介して開箱体Ａの内側へ向かって噴出することで、開箱体Ａの内側に付着している塵を吹き飛ばして剥離すると共に、剥離した塵を開箱体Ａの内側から外側へ移動する塵排出用空気に連れられて排出できるようにしてある。
【００２１】
本実施の形態の本発明掃除設備１は、図１乃至図３に示す如く、前記搬入装置４，搬送装置２，掃除装置３及び搬出装置５を室内に配置するシール室２４と、シール室２４の室内２４ａから排気する排気装置２７とを備えている。シール室２４は、搬入装置４へ通じる入口開閉扉２５と、搬出装置５へ通じる出口開閉扉２６とを取り付けてある。入口開閉扉２５は、通常は閉じ、開箱体Ａを室外から搬入装置４へ搬入するときにのみ開くようにしてある。また、出口開閉扉２６は、通常は閉じ、開箱体Ａを搬出装置５から室外へ搬出するときにのみ開くようにしてある。
【００２２】
前記排気装置２７は、図３に示す如く、掃除装置３の下方に吸引口２８ｂを開口する集塵具２８と、集塵具２８の排気口２８ａに連通する排気ダクト２９と、排気ファン３０とを備え、排気ファン３０の吸引によりシール室内２４ａの空気を排出して室内２４ａを室外に比べ負圧にすることで、シール室内２４ａで発生して塵を室外へ漏れ出さないようにしてある。排気装置２７は、排気ダクト２９又は排気ファン３０の排出側にフィルター又はサイクロン等の塵捕捉具３１を備え、シール室内２４ａから排出した塵を補足するようにしている。
【００２３】
なお、前記排気装置２７は、集塵具２８を省略し又は省略することなく、排気ダクト２９の上流側を、図６に示す外フラツプ掃除具８，９及び／又は内フラツプ掃除具１１，１２の各吸引ホース２１に接続することもある。また、前記排気装置２７は、排気ファン３０の排出側とシール室内２４ａを還流ダクト３２で接続して、排気ファン３０から排出される空気の一部をシール室内２４ａへ循環させ、シール室内２４ａの負圧を調節できるようにすることもある。還流ダクト３２は、循環風量を調節するためのダンバー３３を備えている。
【００２４】
次に、本実施の形態の本発明掃除設備１を用いて開箱体Ａを掃除する工程を説明する。先ず前工程において、清掃の対象となる開箱体Ａを製箱装置（図示略）で製造し、上側の内フラップＤａ，Ｄａ（図７参照）及び外フラップＤｂ，Ｄｂを折り曲げて上側の外フラップＤｂ，Ｄｂの突き合わせ部どうしにテープＴを貼り付けて閉口させ、開口した下側の内外フラツプＣａ，Ｃａ，Ｃｂ，Ｃｂを折り曲げない起立した状態にしておく。なお、テープＴの貼り付け動作を下側で行って開箱体Ａを得た場合には、製箱装置から送り出されてきた開箱体Ａの姿勢を手作業又は反転装置３０（図５参照）で変更して開口部が下側へ向くようにする。
【００２５】
次の搬入工程において、開箱体Ａを開いている入口開閉扉２５から搬入装置４へ送り込み（図４中の状態Ｅ）、入口開閉扉２５を閉じる。
【００２６】
続く掃除工程において、搬入装置４で搬送装置２の入口へ搬入した開箱体Ａを、図４中の状態Ｆで示すように搬送装置２で把持して搬送しつつ、開箱体Ａの下側の外フラツプＣｂ，Ｃｂの下端縁部を左右の外フラツプ掃除具８，９で掃除して、外フラツプＣｂ，Ｃｂの下端縁部から塵を除去する。外フラツプＣｂ，Ｃｂの掃除が終了下ならば、開箱体Ａを同図の状態Ｇで示すように搬送装置２で把持しながら搬送を停止して、開箱体Ａの下側の内フラップＣａ，Ｃａの下端縁部を、左右方向へ往復移動する前後の内フラツプ掃除具１１，１２を掃除して、内フラップＣａ，Ｃａの下端縁部から塵を除去する。この内フラップＣａ，Ｃａの掃除中に、開箱体Ａの下側の開口を介して内側へ向かって空気噴出装置１３のノズルから噴出する塵排出用空気で内側の塵を掃除し、開箱体Ａの内側から塵を除去する。各掃除具８，９，１１，１２で除去された塵、及び空気噴出装置１３で開箱体Ａの内側から除去した塵は、シール室２４の室内空気と共に排気装置２７で排出され、捕捉装置３１（図３参照）で捕捉される。
【００２７】
最後の搬出工程において、掃除の完了した開箱体Ａを搬送装置２から搬出装置５へ送り出し（図４中の状態Ｈ）、開いた出口開閉扉２６を介して室外へ搬出する。開箱体Ａが搬出されると、出口開閉扉２６を閉じる。
【００２８】
（第２の実施の形態）
図８及び図９は第２の実施の形態の本発明掃除設備４１を示すものであり、図８は主要部の右側面図、図９（Ａ）は掃除具４３の上方で開箱体Ａを待機させている状態を示す斜視図、図９（Ｂ）は開箱体Ａを前後方向へ移動させつつ下側の外フラップＣｂ，Ｃｂの下端縁部を掃除している状態を示す斜視図、図９（Ｃ）は開箱体Ａを前後方向へ移動させつつ下側の内フラップＣａ，Ｃａの下端縁部を掃除している状態を示す斜視図である。
【００２９】
本実施の形態の本発明掃除装置４１は、開口した一方側を下方へ向けた状態で開箱体Ａを保持しつつ搬送する搬送装置４２と、搬送中の開箱体Ａの下側の各フラップの下端縁部に当接するブラシを有する掃除装置４３とを備えている。本発明掃除設備３１は、掃除装置４３の前後側に搬出装置５と搬入装置４を配置してある。なお、搬入装置４及び搬出装置５の各々は、図５に示す反転装置３０を備えることもある。
【００３０】
前記搬送装置４２は、開箱体Ａを着脱自在に吸着する吸着具４４と、吸着具４４を昇降させると共に９０度回転させる操作具４５と、操作具４５を前後方向へ案内する案内具４６とを備えている。搬送装置４２は、開箱体Ａを搬入装置４の位置と掃除装置４３の位置と搬出装置５の位置との間で前後方向に沿って移動させ、搬入装置４の位置では搬入された開箱体Ａ（図８の状態Ｅ）の上面を吸着して持ち上げ、掃除装置４３の位置では開箱体Ａを吸着保持したまま降下させると共に前後方向に沿って移動させて掃除し（同図の状態Ｇ及び図９（Ｂ）（Ｃ）の状態）、搬出装置５の位置では開箱体Ａを降下させて離脱（同図の状態Ｈ）するようになつている。また、搬送装置４２は、掃除装置４３より上方で、開箱体Ａを吸着保持したまま９０度回転（図９（Ａ）の状態）させるようになっている。
【００３１】
前記掃除装置４３は、開箱体Ａの下側のフラツプの下端縁部を掃除する左右のフラツプ掃除具８，９と、開箱体Ａの内側へ塵排出用空気を噴出する空気噴出装置１３とを備えている。フラツプ掃除具８，９及び空気噴出装置１３は、前記第１の実施の形態と実質的に同一なので、ここでの説明を省略する。
【００３２】
本実施の形態の本発明掃除設備４１は、前記搬入装置４，搬送装置４２，掃除装置４３及び搬出装置５を室内に配置するシール室２４と、シール室２４の室内２４ａから排気する排気装置２７とを備えている。シール室２４及び排気装置２７は、前記第１の実施の形態と実質的に同一なので、ここでの説明を省略する。なお、本発明掃除設備４１は、搬出装置５及び出口開閉扉２６を省略して、搬入装置４及び入口開閉扉２５のみで、シール室２４から開箱体Ａを出し入れすることも可能である。この場合、前記搬送装置４２は、開箱体Ａを搬入装置４の位置と掃除装置４３の位置との間で移動させることになる。
【００３３】
次に、本実施の形態の本発明掃除設備４１を用いて開箱体Ａを掃除する工程を説明する。先ず前工程において、清掃の対象となる開箱体Ａを製箱装置（図示略）で製造し、上側の内フラップＤａ，Ｄａ（図７参照）及び外フラップＤｂ，Ｄｂを折り曲げて上側の外フラップＤｂ，Ｄｂの突き合わせ部どうしにテープＴを貼り付けて閉口させ、開口した下側の内外フラツプＣａ，Ｃａ，Ｃｂ，Ｃｂを折り曲げない起立した状態にしておく。なお、テープＴの貼り付け動作を下側で行って開箱体Ａを得た場合には、製箱装置から送り出されてきた開箱体Ａの姿勢を手作業又は反転装置３０（図５参照）で変更して開口部が下側へ向くようにする。
【００３４】
次の搬入工程において、開箱体Ａを開いている入口開閉扉２５から搬入装置４へ送り込み（図４中の状態Ｅ）、入口開閉扉２５を閉じる。
【００３５】
続く掃除工程において、搬入装置４に位置する開箱体Ａ（図８の状態Ｅ）の上面を搬送装置４２で吸着して持ち上げて、掃除装置４３の上方へ移動させ、搬送装置４２で吸着保持したまま開箱体Ａを降下させると共に前後方向に沿って移動させて掃除（同図の状態Ｈ及び図９（Ｂ）（Ｃ）の状態）する。内フラップＣａ，Ｃａ及び外フラツプＣｂ，Ｃｂのいずれか一方の掃除が終了したならば、掃除装置４３より上方で、開箱体Ａを搬送装置４２で吸着保持したまま９０度回転（図９の（Ａ）の状態）させ、その後に開箱体Ａを降下させると共に前後方向に沿って移動させて他方のフラツプを掃除する。
【００３６】
最後の搬出工程において、掃除の完了した開箱体Ａを搬送装置４２で搬出装置５へ送り出し（図８中の状態Ｇ）、開いた出口開閉扉２６を介して室外へ搬出する。開箱体Ａが搬出されると、出口開閉扉２６を閉じる。
【００３７】
【発明の効果】
請求項１記載の本発明掃除設備は、開箱体の内側へ塵を脱落することなく開口状態のフラツプの各端縁部に付着している塵を除去できるので、綺麗な開箱体を提供できる。
【００３８】
請求項２記載の本発明掃除設備は、開箱体の開口状態のフラツプの各端縁部に付着している塵を確実に除去できる共に開箱体の内側に存在する塵を除去できるので、綺麗な開箱体を提供できる。
【００３９】
請求項３記載の本発明掃除設備は、シール室内で発生した塵を室外へ拡散させることがないため、本発明掃除設備を設置した工場内を汚染することがない。
【図面の簡単な説明】
【図１】本発明掃除設備の第１の実施の形態を示すものであって、掃除しない状態を示す右側面図である。
【図２】同状態の右側面図である。
【図３】同状態の背面図である。
【図４】同実施形態において、掃除作業の各工程を示す右側面図である。
【図５】同実施形態において、反転装置を内蔵した右側面図である。
【図６】同実施形態において、外フラツプ掃除具及び内フラツプ掃除具の別態様を示すものであり、（Ａ）は平面図、（Ｂ）は横断面図である。
【図７】同実施形態において、掃除する工程の概略を示すものであって、（Ａ）は開箱体を掃除する前の状態を示す斜視図、（Ｂ）は開箱体を搬送しつつ下側の外フラップの下端縁部を掃除している状態を示す斜視図、（Ｃ）は開箱体を搬送しつつ下側の内フラップの下端縁部を掃除している状態を示す斜視図である。
【図８】本発明掃除設備の第２の実施の形態を示すものであって、主要部を示す右側面図である。
【図９】同実施形態を示すものであって、（Ａ）は掃除具の上方で開箱体を待機させている状態を示す斜視図、（Ｂ）は開箱体を前後方向へ移動させつつ下側の外フラップの下端縁部を掃除している状態を示す斜視図、（Ｃ）は開箱体を前後方向へ移動させつつ下側の内フラップの下端縁部を掃除している状態を示す斜視図である。
【図１０】従来の製箱装置を用いて包装箱を製造する各工程の概略を示す斜視図である。
【符号の説明】
Ａ…開箱体、Ｂ…胴部、Ｃａ，Ｃａ…内フラップ、Ｄａ，Ｄｂ…外フラップ、Ｓ…搬送路、２（４２）…搬送装置、３（４３）…掃除装置、２４…シール室、２５…入口開閉扉、２６…出口開閉扉
【図１】
2005007227.tif 000003
【図２】
2005007227.tif 000004
【図３】
2005007227.tif 000005
【図４】
2005007227.tif 000006
【図５】
2005007227.tif 000007
【図６】
2005007227.tif 000008
【図７】
2005007227.tif 000009
【図８】
2005007227.tif 000010
【図９】
2005007227.tif 000011
【図１０】
2005007227.tif 000012